(57)【要約】【課題】随伴蒸気の除去を抑制しつつ、静翼やダイアフラム外輪の表面に付着した凝縮水を的確に除去することができる蒸気タービンを提供する。【解決手段】実施形態の蒸気タービン１０は、タービンロータ２２の周方向に複数の動翼２１を植設して構成された動翼翼列と、ダイアフラム外輪２３とダイアフラム内輪２４との間に周方向に複数の静翼２５を取り付けて構成され、動翼翼列とタービン段落を構成する静翼翼列とを備え、低圧となるタービン段落に湿り蒸気が流れる。少なくとも最終のタービン段落における静翼２５が、最終のタービン段落の下流に設けられた排気流路に接続された復水器に連通する中空部３０を有し、この静翼２５の翼長方向の中心から半径方向外側の少なくとも一部が多孔質構成部４０で構成されている。【選択図】図２
2013124561.tif 000002
【特許請求の範囲】
【請求項１】
タービンロータの周方向に複数の動翼を植設して構成された動翼翼列と、ダイアフラム外輪とダイアフラム内輪との間に周方向に複数の静翼を取り付けて構成され、前記動翼翼列とタービン段落を構成する静翼翼列とを備え、低圧となるタービン段落に湿り蒸気が流れる蒸気タービンであって、
少なくとも最終のタービン段落における静翼が、最終のタービン段落の下流に設けられた排気流路に接続された復水器に連通する中空部を有し、当該静翼の翼長方向の中心から半径方向外側の少なくとも一部が多孔質材料からなる多孔質構成部で構成されていることを特徴とする蒸気タービン。
【請求項２】
タービンロータの周方向に複数の動翼を植設して構成された動翼翼列と、ダイアフラム外輪とダイアフラム内輪との間に周方向に複数の静翼を取り付けて構成され、前記動翼翼列とタービン段落を構成する静翼翼列とを備え、低圧となるタービン段落に湿り蒸気が流れる蒸気タービンであって、
少なくとも最終のタービン段落における静翼が、中空部、および当該中空部に連通し、当該静翼のダイアフラム内輪側の後縁部に形成された貫通部を有し、当該静翼の翼長方向の中心から半径方向外側の少なくとも一部が多孔質材料からなる多孔質構成部で構成されていることを特徴とする蒸気タービン。
【請求項３】
少なくとも最終のタービン段落における静翼の翼長方向の中心から半径方向外側が、前記多孔質構成部で構成されていることを特徴とする請求項１または２記載の蒸気タービン。
【請求項４】
少なくとも最終のタービン段落における静翼の翼長方向の中心から半径方向外側で、かつ後縁部が、前記多孔質構成部で構成されていることを特徴とする請求項１または２記載の蒸気タービン。
【請求項５】
前記多孔質構成部の厚さが、前記静翼の前縁から後縁に向かって薄くなることを特徴とする請求項３記載の蒸気タービン。
【請求項６】
タービンロータの軸方向の位置が同じ位置において、前記多孔質構成部の厚さが、前記静翼の背側よりも腹側の方が厚いことを特徴とする請求項３または５記載の蒸気タービン。
【請求項７】
タービンロータの周方向に複数の動翼を植設して構成された動翼翼列と、ダイアフラム外輪とダイアフラム内輪との間に周方向に複数の静翼を取り付けて構成され、前記動翼翼列とタービン段落を構成する静翼翼列とを備え、低圧となるタービン段落に湿り蒸気が流れる蒸気タービンであって、
少なくとも最終のタービン段落を構成するダイアフラム外輪が、最終のタービン段落の下流に設けられた排気流路に接続された復水器に連通する中空部を有し、当該タービン段落の静翼間におけるダイアフラム外輪の蒸気通路側の壁部の少なくとも一部が多孔質材料からなる多孔質構成部で構成されていることを特徴とする蒸気タービン。
【請求項８】
前記多孔質構成部が、厚さ方向に、孔径の異なる孔を有していることを特徴とする請求項１乃至７のいずれか１項記載の蒸気タービン。
【請求項９】
前記多孔質構成部において、最も小さな孔径の孔を有する側が蒸気通路に面していることを特徴とする請求項８記載の蒸気タービン。
【発明の詳細な説明】
【技術分野】
【０００１】
本発明の実施形態は、蒸気タービンに関する。
【背景技術】
【０００２】
一般に、蒸気タービンにおける作動流体である蒸気は、高真空まで膨張するため、蒸気タービンの出口付近では、微小水滴を含む湿り蒸気となる。多くの微小水滴は、蒸気の流れとともに、蒸気通路を通過して復水器へ排出されるが、一部の水滴は、慣性力によって主流から逸れて静翼（ノズル）の表面に付着する。また、一部の水滴は、動翼の回転による遠心力によって外周方向に飛ばされ、ダイアフラム外輪の壁面に付着する。
【０００３】
静翼の表面に付着した水滴およびダイアフラム外輪の壁面に付着した水滴の一部は、ノズルの後縁付近で水膜となり、静翼の後縁から吹き千切れ、粗大水滴（数十〜数百μｍ）となって動翼の背側に衝突する。これによって、動翼の一部が浸食されることがある。そのため、従来の蒸気タービンの静翼において、水膜などを除去するスリットを表面に備えるなどの対策が実施されている。
【０００４】
図１０は、従来の蒸気タービンに備えられるスリット２１０、２１１を有する静翼２００の背側２００ａと腹側２００ｂの圧力分布、および静翼２００の中空部２１２の圧力を示す図である。なお、図１０には、スリット２１０、２１１を有する静翼２００の断面も示されている。
【０００５】
図１０に示すように、例えば、スリット２１０から一旦中空部２１２に吸い込まれた凝縮水がスリット２１１から外部に流れ出す、いわゆるバイパス流れが生じないように、背側２００ａのスリット２１０と腹側２００ｂのスリット２１１は、圧力レベルが同等の位置に形成されている。なお、中空部２１２は、復水器（図示しない）などの高真空部と連通させている。
【０００６】
このような構成を備えることで、静翼２００の表面に付着した凝縮水は、スリット２１０、２１１から中空部２１２に吸込まれ、蒸気通路から外部に除去される。
【先行技術文献】
【非特許文献】
【０００７】
【非特許文献１】長尾進一郎、「蒸気タービンにおける湿り蒸気の挙動と影響」、ターボ機械、Ｖｏｌ.１４，Ｎｏ.６（１９８６）
【発明の概要】
【発明が解決しようとする課題】
【０００８】
しかしながら、従来の蒸気タービンの静翼の表面における凝縮水の除去方法では、静翼に形成されたスリットを通過する凝縮水の一部が除去され、残りの凝縮水は、静翼の後縁側に流れる。そのため、除去されなかった凝縮水が静翼の後縁付近で吹き千切れて動翼に衝突するため、動翼は浸食される。さらに、静翼に形成されたスリットから凝縮水以外にも、随伴蒸気が排除されるといった問題があった。
【０００９】
本発明が解決しようとする課題は、随伴蒸気の除去を抑制しつつ、静翼やダイアフラム外輪の表面に付着した凝縮水を的確に除去することができる蒸気タービンを提供するものである。
【課題を解決するための手段】
【００１０】
実施形態の蒸気タービンは、タービンロータの周方向に複数の動翼を植設して構成された動翼翼列と、ダイアフラム外輪とダイアフラム内輪との間に周方向に複数の静翼を取り付けて構成され、前記動翼翼列とタービン段落を構成する静翼翼列とを備える。この蒸気タービンの低圧となるタービン段落には、湿り蒸気が流れる。
【００１１】
少なくとも最終のタービン段落における静翼は、最終のタービン段落の下流に設けられた排気流路に接続された復水器に連通する中空部を有し、当該静翼の翼長方向の中心から半径方向外側の少なくとも一部が多孔質材料からなる多孔質構成部で構成されている。
【図面の簡単な説明】
【００１２】
【図１】第１の実施の形態の蒸気タービンの鉛直方向の子午断面を示す図である。
【図２】第１の実施の形態の蒸気タービンにおける最終のタービン段落の一部の断面を示した図である。
【図３】第１の実施の形態の蒸気タービンにおける最終のタービン段落の一部が示された図２のＡ−Ａ断面を示す図である。
【図４】第１の実施の形態の蒸気タービンにおける静翼の背側と腹側の圧力分布、および静翼の中空部の圧力を示す図である。
【図５】第２の実施の形態の蒸気タービンにおける最終のタービン段落の一部の断面を示した図である。
【図６】第２の実施の形態の蒸気タービンにおける最終のタービン段落の一部が示された図５のＢ−Ｂ断面を示す図である。
【図７】第３の実施の形態の蒸気タービンにおける最終のタービン段落の一部の断面を示した図である。
【図８】第３の実施の形態の蒸気タービンにおける静翼の背側および腹側の圧力分布を示す図である。
【図９】第４の実施の形態の蒸気タービンにおける最終のタービン段落の一部の断面を示した図である。
【図１０】従来の蒸気タービンに備えられるスリットを有する静翼の背側と腹側の圧力分布、および静翼の中空部の圧力を示す図である。
【発明を実施するための形態】
【００１３】
以下、本発明の実施の形態について図面を参照して説明する。
【００１４】
（第１の実施の形態）
図１は、第１の実施の形態の蒸気タービン１０の鉛直方向の子午断面を示す図である。また、以下において、同一の構成部分には同一の符号を付して、重複する説明を省略または簡略する。
【００１５】
図１に示すように、蒸気タービン１０は、ケーシング２０を備え、このケーシング２０内には、動翼２１が植設されたタービンロータ２２が貫設されている。動翼２１を周方向に複数植設して動翼翼列を構成し、この動翼翼列をタービンロータ軸方向に複数段備えている。タービンロータ２２は、図示しないロータ軸受によって回転可能に支持されている。
【００１６】
ケーシング２０の内周には、タービンロータ２２の軸方向に動翼２１と交互になるように、ダイアフラム外輪２３とダイアフラム内輪２４に支持された静翼２５（ノズル）が配設されている。静翼２５を周方向に複数植設して静翼翼列を構成し、静翼翼列と直下流側に位置する動翼翼列とで一つのタービン段落を構成している。
【００１７】
タービンロータ２２とケーシング２０との間には、作動流体である蒸気の外部への漏洩を防止するために、グランドシール部２６が設けられている。
【００１８】
蒸気タービン１０には、内部に蒸気を導入するための蒸気入口管２７がケーシング２０を貫通して設けられている。
【００１９】
なお、図示しないが、最終のタービン段落の下流側には、タービン段落において膨張仕事をした蒸気を排気するための排気流路が設けられている。この排気流路は、復水器（図示しない）に連通されている。また、ここで示された蒸気タービン１０として、例えば、火力発電所などに備えられる低圧タービンなどが挙げられる。
【００２０】
次に、低圧となり湿り蒸気が流れるタービン段落の構成について説明する。
【００２１】
図２は、第１の実施の形態の蒸気タービン１０における最終のタービン段落の一部の断面を示した図である。図３は、第１の実施の形態の蒸気タービン１０における最終のタービン段落の一部が示された図２のＡ−Ａ断面を示す図である。
【００２２】
なお、便宜上、図２では、静翼２５の一部を断面で示している。また、図２および図３では、凝縮水の流れを矢印で示している。また、ここでは、蒸気タービン１０における最終のタービン段落に、水滴や水膜などの凝縮水を除去する構成を備えた一例を示しているが、さらに上流側のタービン段落で凝縮水が発生する場合には、そのタービン段落に凝縮水を除去する構成を備えることができる（以下の他の実施の形態においても同じ）。
【００２３】
図２に示すように、ダイアフラム外輪２３とダイアフラム内輪２４との間に、静翼２５が設けられている。静翼２５は、図３に示すように、中空構造からなり、静翼２５の内部には、中空部３０を有している。また、例えば、静翼２５の翼長方向（ダイアフラム内輪２４側からダイアフラム外輪２３側へ向かう方向）の中心から半径方向外側は、多孔質材料で構成されている。この静翼２５の多孔質材料で構成された部分を多孔質構成部４０と呼ぶ。
【００２４】
ここでは、静翼２５の翼長方向の中心から半径方向外側のすべてを多孔質材料で構成した一例を示しているが、多孔質構成部４０のダイアフラム内輪２４側の端部は、静翼２５の翼長方向の中心よりもダイアフラム外輪２３側に位置してもよい。すなわち、多孔質構成部４０のダイアフラム内輪２４側の端部の位置は、水滴との衝突の頻度の高い部分や水膜が形成される部分が多孔質構成部４０で構成されるように設定される。
【００２５】
この多孔質構成部４０は、例えば、三次元的に連通する細孔を有する三次元網目構造体で構成されている。三次元網目構造体として、例えば、ポーラス体が挙げられる。
【００２６】
多孔質構成部４０を構成する多孔質材料として、例えば、静翼２５を構成するＣｒＭｏ鋼やＣｒＭｏＶ鋼などで構成される。なお、多孔質材料は、これらに限られるものではなく、静翼２５の作動条件において、機械的強度や溶接性などの要件を満たす材料であれば使用することができる。
【００２７】
このような多孔質構成部４０を使用することで、中空部３０と蒸気通路２８とが三次元的に連通する細孔を介して連通される。そのため、蒸気が凝縮することで発生した水滴や水膜などの凝縮水は、この多孔質構成部４０を介して中空部３０へ回収される。
【００２８】
また、多孔質構成部４０は、例えば、厚さ方向に、孔径、孔の密度を段階的に変化させた層を積層した積層構造体で構成されてもよい。この場合、最も小さな孔径の孔を有する側が蒸気通路２８に面するように配置されることが好ましい。
【００２９】
このように配置することで、表面張力に伴う毛細管現象によって、凝縮水が多孔質構成部４０の内部へ浸透し易くなる。また、孔径の小さい側を蒸気通路２８に面するように配置することで、静翼２５の表面の相対的な粗さを小さくすることができ、摩擦抵抗を減少させることができる。また、孔径の小さい側を蒸気通路２８に面するように配置することで、凝縮水以外の蒸気が通過する際の圧力損失が大きくなり、随伴蒸気の吸込み量を抑制することができる。また、中空部３０側に向かって孔径を大きくすることで、蒸気通路２８側と中空部３０側との差圧によって、多孔質構成部４０の表面に浸透した凝縮水を、小さな圧力損失で中空部３０に吸引することができる。
【００３０】
静翼２５を支持するダイアフラム外輪２３およびダイアフラム内輪２４には、図２に示すように、それぞれ周方向に連通する中空部５０、５１が形成されている。ダイアフラム外輪２３の中空部５０は、連通孔５２を介して静翼２５の中空部３０と連通している。ダイアフラム内輪２４の中空部５１は、連通孔５３を介して静翼２５の中空部３０と連通している。
【００３１】
また、ダイアフラム外輪２３の中空部５０は、ドレン排出管６０を介して、高真空圧状態にある、例えば復水器（図示しない）に接続されている。そのため、中空部５０と連通する静翼２５の中空部３０も、復水器に連通する構成となる。これによって、中空部３０の圧力は、静翼２５の表面の圧力よりも低くなるため、上記した毛細管現象による凝縮水の回収機能の他に、これらの差圧によって凝縮水を中空部３０側に吸引する機能を有する。
【００３２】
ここで、多孔質構成部４０と静翼２５の母材４１、多孔質構成部４０とダイアフラム外輪２３は、例えば、溶接やろう付けなどによって接合される。
【００３３】
ここで、蒸気タービン１０の動作について、図１〜図３を参照して説明する。
【００３４】
蒸気入口管２７を経て蒸気タービン１０内に流入した蒸気は、各タービン段落の静翼２５、動翼２１を備える、徐々に拡大する蒸気通路２８を膨張仕事をしながら通過し、タービンロータ２２を回転させる。
【００３５】
下流に行くに伴って蒸気の圧力および温度は低下し、蒸気は凝縮して水滴となる。発生した水滴の一部は、静翼２５や動翼２１の表面に衝突して付着する。例えば、最終のタービン段落よりも一段上流側のタービン段落の動翼２１によって外周側に飛ばされた水滴は、最終のタービン段落の静翼２５の前縁２５ｃ付近や翼面上に付着して水膜流となって下流側に移動する。静翼２５の翼長方向の中心から半径方向外側は、多孔質構成部４０で構成されているため、毛細管現象および表面の圧力と中空部３０の圧力との差圧により、多孔質構成部４０の表面に付着した凝縮水は、中空部３０内に吸引される。
【００３６】
なお、図３に示すように、このように静翼２５の翼長方向の中心から半径方向外側における翼面全域から凝縮水を吸引するため、多孔質構成部４０に付着した凝縮水は、確実に吸引される。さらに、多孔質構成部４０が微小な細孔で構成されているため、凝縮水以外の蒸気が通過する際の圧力損失が大きくなり、開口面積当たりの随伴蒸気の中空部３０への吸込み量が抑制される。
【００３７】
ここで、タービンロータの回転軸の中心より上方の上半側の静翼２５では、重力の作用する方向が半径方向内側となる。そのため、多孔質構成部４０を介して吸引された凝縮水は、静翼２５の中空部３０（上半側）、ダイアフラム内輪２４の連通孔５３（上半側）、ダイアフラム内輪２４の中空部５１（上半側）、ダイアフラム内輪２４の中空部５１（下半側）、ダイアフラム内輪２４の連通孔５３（下半側）、静翼２５の中空部３０（下半側）、ダイアフラム外輪２３の連通孔５２（下半側）、ダイアフラム外輪２３の中空部５０（下半側）、ドレン排出管６０の順に流路を通って、復水器（図示しない）に排出される。
【００３８】
一方、タービンロータの回転軸の中心より下方の下半側の静翼２５では、重力の作用する方向が半径方向外側となる。そのため、多孔質構成部４０を介して吸引された凝縮水は、静翼２５の中空部３０（下半側）、ダイアフラム外輪２３の連通孔５２（下半側）、ダイアフラム外輪２３の中空部５０（下半側）、ドレン排出管６０の順に流路を通って、復水器（図示しない）に排出される。
【００３９】
また、最終のタービン段落を通過した蒸気は、最終のタービン段落の下流に設けられた排気流路（図示しない）を通過し、復水器（図示しない）に導かれる。
【００４０】
上記したように、第１の実施の形態の蒸気タービン１０によれば、多孔質構成部４０で構成された静翼２５の翼長方向の中心から半径方向外側における翼面全域から凝縮水を吸引することができる。そのため、多孔質構成部４０の表面に付着した凝縮水を確実に吸引して的確に除去することができる。
【００４１】
さらに、多孔質構成部４０が微小な細孔で構成されているため、凝縮水以外の蒸気が通過する際の圧力損失が大きくなり、開口面積当たりの随伴蒸気の吸込み量を抑制することができる。
【００４２】
このように、凝縮水を的確に除去して動翼２１の浸食に伴う翼型損失を抑制し、かつ随伴蒸気の吸込み量を抑制することで、タービン効率の向上を図ることができる。
【００４３】
ここで、第１の実施の形態の蒸気タービン１０における静翼２５の多孔質構成部４０の構成は、上記した構成に限られるものではない。図４は、第１の実施の形態の蒸気タービン１０における静翼２５の背側２５ａと腹側２５ｂの圧力分布、および静翼２５の中空部３０の圧力を示す図である。なお、図４には、図２のＡ−Ａ断面に対応する静翼２５の断面も示されている。また、横軸は、静翼２５のタービンロータ２２の軸方向位置を示している。
【００４４】
図４に示すように、静翼２５の翼構造や静翼翼列の特性により、翼面の背側２５ａと腹側２５ｂの圧力分布は大きく変化する。双方ともに、前縁２５ｃ側から後縁２５ｄ側に向かって翼面の圧力は低下している。
【００４５】
一方、静翼２５の中空部３０の圧力は、ほぼ一定となる。そのため、翼面と中空部３０との差圧は、背側２５ａと腹側２５ｂの軸方向位置によって大きく変化する。また、背側２５ａの圧力は、腹側２５ｂの圧力に比べて低いが、双方ともに、差圧は、前縁２５ｃ側から後縁２５ｄ側に向かって低下している。
【００４６】
例えば、多孔質構成部４０の厚さが一定の場合、差圧が大きな領域では凝縮水を吸引する力が大きいが、差圧が小さな領域では凝縮水を吸引する力は小さい。また、吸引する力が大き過ぎると、凝縮水以外の蒸気の吸込み量が増加することがある。
【００４７】
このようなことから、多孔質構成部４０の厚さを、静翼２５の前縁２５ｃから後縁２５ｄに向かって徐々に薄くなるように構成することが好ましい。さらに、タービンロータ２２の軸方向位置が同じ位置において、多孔質構成部４０の厚さを、静翼２５の背側２５ａよりも腹側２５ｂの方を厚く構成することが好ましい。
【００４８】
ここで、例えば、背側２５ａにおける多孔質構成部４０の厚さは、図４に示すように、中空部前縁３０ｃおよび中空部後縁３０ｄを除く、中空部３０の背側２５ａの内壁面３０ａ上の任意の点Ｐと、この点Ｐにおける接線Ｌと点Ｐで垂直に交わる直線Ｍが背側２５ａの表面と交わる点Ｑとの間の距離で定義される。なお、図示しないが、腹側２５ｂにおける多孔質構成部４０の厚さも同様に、中空部前縁３０ｃおよび中空部後縁３０ｄを除く、中空部３０の腹側２５ｂの内壁面上の任意の点と、この点における接線とこの点で垂直に交わる直線が腹側２５ｂの表面と交わる点との間の距離で定義される。
【００４９】
このように、多孔質構成部４０の厚さを変化させることにより、軸方向位置によって翼面と中空部３０との差圧が変化しても、凝縮水を効率よく吸引することができる。さらに、差圧が大きくなる領域をなくし、凝縮水以外の蒸気の吸込み量が増加することを防止することができる。
【００５０】
（第２の実施の形態）
図５は、第２の実施の形態の蒸気タービン１１における最終のタービン段落の一部の断面を示した図である。図６は、第２の実施の形態の蒸気タービン１１における最終のタービン段落の一部が示された図５のＢ−Ｂ断面を示す図である。
【００５１】
なお、便宜上、図５では、静翼２５の一部を断面で示している。また、図５および図６では、凝縮水の流れを矢印で示している。
【００５２】
第２の実施の形態の蒸気タービン１１の最終のタービン段落の静翼においては、第１の実施の形態の蒸気タービン１０の最終のタービン段落の静翼と、多孔質構成部４０が構成される領域が異なる。なお、それ以外の構成は、第１の実施の形態の蒸気タービン１０と同じである。
【００５３】
静翼２５は、図５および図６に示すように、中空構造からなり、静翼２５の内部には、中空部３０を有している。また、静翼２５の翼長方向（ダイアフラム内輪２４側からダイアフラム外輪２３側へ向かう方向）の中心から半径方向外側で、かつ後縁部は、多孔質構成部４０で構成されている。
【００５４】
ここで、後縁部とは、静翼２５の翼弦長方向の中心よりも後縁２５ｄ側をいう。そのため、多孔質構成部４０の前縁２５ｃ側の端部は、静翼２５の翼弦長方向の中心の位置であっても、その中心位置よりも後縁２５ｄ側に位置してもよい。また、多孔質構成部４０のダイアフラム内輪２４側の端部は、静翼２５の翼長方向の中心よりもダイアフラム外輪２３側に位置してもよい。
【００５５】
このように構成された蒸気タービン１１において、例えば、最終のタービン段落よりも一段上流側のタービン段落の動翼２１によって外周側に飛ばされた水滴は、最終のタービン段落の静翼２５の前縁２５ｃ付近や翼面上に付着して水膜流となって下流側に移動する。静翼２５の翼長方向の中心から半径方向外側かつ後縁部は、多孔質構成部４０で構成されているため、毛細管現象および表面の圧力と中空部３０の圧力との差圧により、多孔質構成部４０の表面に付着した凝縮水は、中空部３０内に吸引される。
【００５６】
吸引された凝縮水は、前述したように、各流路を通って、ドレン排出管６０から復水器（図示しない）に排出される。
【００５７】
上記したように、第２の実施の形態の蒸気タービン１１によれば、静翼２５の後縁部側に多孔質構成部４０を備えることで、静翼２５の表面を水膜となって後縁２５ｄ側に移動する凝縮水を的確に除去することができる。
【００５８】
さらに、多孔質構成部４０が微小な細孔で構成されているため、凝縮水以外の蒸気が通過する際の圧力損失が大きくなり、開口面積当たりの随伴蒸気の吸込み量を抑制することができる。
【００５９】
このように、凝縮水を的確に除去して動翼２１の浸食に伴う翼型損失を抑制し、かつ随伴蒸気の吸込み量を抑制することで、タービン効率の向上を図ることができる。
【００６０】
（第３の実施の形態）
図７は、第３の実施の形態の蒸気タービン１２における最終のタービン段落の一部の断面を示した図である。図８は、第３の実施の形態の蒸気タービン１２における静翼２５の背側２５ａおよび腹側２５ｂの圧力分布を示す図である。なお、図７では、静翼２５は側面図で示され、凝縮水の流れは矢印で示されている。また、図８には、図７のＣ−Ｃ断面およびＤ−Ｄ断面における圧力分布が示され、さらに図７のＣ−Ｃ断面およびＤ−Ｄ断面に対応する静翼２５の断面も示されている。また、横軸は、静翼２５のタービンロータ２２の軸方向位置を示している。
【００６１】
静翼２５は、図８に示すように、中空構造からなり、静翼２５の内部には、中空部３０を有している。また、図７に示すように、例えば、静翼２５の翼長方向（ダイアフラム内輪２４側からダイアフラム外輪２３側へ向かう方向）の中心から半径方向外側は、多孔質構成部４０で構成されている。
【００６２】
ここでは、静翼２５の翼長方向の中心から半径方向外側のすべてを多孔質材料で構成した一例を示しているが、多孔質構成部４０のダイアフラム内輪２４側の端部は、静翼２５の翼長方向の中心よりもダイアフラム外輪２３側に位置してもよい。すなわち、多孔質構成部４０のダイアフラム内輪２４側の端部の位置は、水滴との衝突の頻度の高い部分や水膜が形成される部分が多孔質構成部４０で構成されるように設定される。また、第２の実施の形態で示した多孔質構成部４０の構成を適用してもよい。
【００６３】
また、静翼２５のダイアフラム内輪２４側の後縁２５ｄには、貫通部７０が形成されている。この貫通部７０は、中空部３０と静翼２５の外部である蒸気通路２８とを連通するものであり、例えば、孔またはスリットなどで構成される。孔またはスリットは、ダイアフラム内輪２４側の後縁に、１つまたは複数形成されている。多孔質構成部４０を介して中空部３０に吸引された凝縮水は、この貫通部７０を介して蒸気通路２８に流出する。
【００６４】
なお、ここでは、貫通部７０を静翼２５の後縁２５ｄに形成した一例を示したが、貫通部７０は、後縁２５ｄに限らず、後縁２５ｄの近傍に形成されていればよい。例えば、静翼２５のダイアフラム内輪２４側の後縁２５ｄの近傍における翼面の背側２５ａまたは腹側２５ｂに貫通部７０を形成してもよい。
【００６５】
静翼２５を支持するダイアフラム外輪２３およびダイアフラム内輪２４には、中空部は形成されず、ダイアフラム外輪２３およびダイアフラム内輪２４は、中実部材で構成されている。そのため、ダイアフラム外輪２３には、ドレン排出管６０なども備えられていない。このように、構成を簡易化することができる。
【００６６】
ここで、一般的なタービン段落の設計においては、反動度（動翼熱落差と段落熱落差との比）は、半径方向の内周側（ダイアフラム内輪２４側）から外周側（ダイアフラム外輪２３側）に増加する。そのため、静翼２５の出口においては内周側の圧力が最も低くなる。図８に示すように、静翼２５の後縁２５ｄ、すなわち静翼２５の出口の圧力は、ダイアフラム内輪２４側の後縁２５ｄ、すなわち貫通部７０を備える部分が最も低いレベルにある。
【００６７】
このような圧力分布により、多孔質構成部４０を介して中空部３０に吸引された凝縮水は、貫通部７０を介して蒸気通路２８に流出する。貫通部７０から流出する凝縮水は、例えば静翼２５の外周側の後縁から吹き千切れて流下する水滴と比較して、動翼２１への相対流入速度が小さい。さらに、貫通部７０に対向する動翼２１の周速度は、静翼２５の外周側に対向する動翼２１の周速度よりも小さい。そのため、貫通部７０から流出した凝縮水が動翼２１に衝突しても、動翼２１の浸食が抑制され、浸食量を低減することができる。
【００６８】
上記したように、第３の実施の形態の蒸気タービン１２によれば、多孔質構成部４０を備えることで、多孔質構成部４０の表面に付着した凝縮水を確実に吸引して的確に除去することができる。さらに、多孔質構成部４０が微小な細孔で構成されているため、凝縮水以外の蒸気が通過する際の圧力損失が大きくなり、開口面積当たりの随伴蒸気の吸込み量を抑制することができる。
【００６９】
また、静翼２５のダイアフラム内輪２４側の後縁２５ｄに貫通部７０を備えることで、動翼２１の浸食を抑制することができるとともに、構成を簡易化することができる。
【００７０】
このように、凝縮水を的確に除去して動翼２１の浸食に伴う翼型損失を抑制し、かつ随伴蒸気の吸込み量を抑制することで、タービン効率の向上を図ることができる。
【００７１】
（第４の実施の形態）
図９は、第４の実施の形態の蒸気タービン１３における最終のタービン段落の一部の断面を示した図である。なお、図９では、最終のタービン段落の静翼２５間における断面が示され、凝縮水の流れは矢印で示されている。
【００７２】
図９に示すように、ダイアフラム外輪２３とダイアフラム内輪２４との間に、静翼２５が設けられている。ダイアフラム外輪２３には、周方向に連通する中空部５０が形成されている。この中空部５０は、ドレン排出管６０を介して、高真空圧状態にある、例えば復水器（図示しない）に接続されている。
【００７３】
また、図９に示すように、周方向に配置された静翼２５間におけるダイアフラム外輪２３の蒸気通路側の壁部は、多孔質構成部４０で構成されている。なお、周方向に配置された静翼２５間におけるダイアフラム外輪２３の蒸気通路側の壁部の少なくとも一部が多孔質構成部４０で構成されていればよい。例えば、周方向に配置された静翼２５間に亘り、かつ静翼２５の翼弦長に亘る部分、すなわち静翼２５間の全ての範囲を多孔質構成部４０で構成することもできる。また、ダイアフラム外輪２３の蒸気通路側の壁部で水膜が形成される領域を多孔質構成部４０で構成することもできる。
【００７４】
このように構成された蒸気タービン１３において、例えば、最終のタービン段落よりも一段上流側のタービン段落の動翼２１によって外周側に飛ばされた水滴は、最終のタービン段落のダイアフラム外輪２３の表面に付着して水膜流となって下流側に移動する。
【００７５】
ダイアフラム外輪２３の蒸気通路側の壁部の少なくとも一部は、多孔質構成部４０で構成されているため、毛細管現象および表面の圧力と中空部５０の圧力との差圧により、多孔質構成部４０の表面に付着した凝縮水は、中空部５０内に吸引される。吸引された凝縮水は、ドレン排出管６０から復水器（図示しない）に排出される。
【００７６】
なお、例えば、上半側のダイアフラム外輪２３の中空部５０内に吸引された凝縮水の一部は、重力の作用により、下半側のダイアフラム外輪２３の中空部５０に流入することもある。また、下半側のダイアフラム外輪２３の中空部５０内に吸引された凝縮水も、下半側のダイアフラム外輪２３に設けられたドレン排出管６０から復水器（図示しない）に排出される。
【００７７】
ここで、ドレン排出管６０は、下半側のダイアフラム外輪２３のみに備えられてもよい。この場合、上半側のダイアフラム外輪２３の中空部５０内に吸引された凝縮水は、重力の作用により、下半側のダイアフラム外輪２３の中空部５０に流入し、多孔質構成部４０を介して下半側のダイアフラム外輪２３の中空部５０内に吸引された凝縮水とともに、ドレン排出管６０から復水器（図示しない）に排出される。
【００７８】
上記したように、第４の実施の形態の蒸気タービン１３によれば、ダイアフラム外輪２３の蒸気通路側の壁部の少なくとも一部に多孔質構成部４０を備えることで、多孔質構成部４０の表面に付着した凝縮水を確実に吸引して的確に除去することができる。
【００７９】
さらに、多孔質構成部４０が微小な細孔で構成されているため、凝縮水以外の蒸気が通過する際の圧力損失が大きくなり、開口面積当たりの随伴蒸気の吸込み量を抑制することができる。
【００８０】
このように、凝縮水を的確に除去して動翼２１の浸食に伴う翼型損失を抑制し、かつ随伴蒸気の吸込み量を抑制することで、タービン効率の向上を図ることができる。
【００８１】
ここで、第４の実施の形態の蒸気タービン１３に、上記した第１の実施の形態〜第３の実施の形態のいずれかの蒸気タービンにおける凝縮水を除去するための構成をさらに適用することもできる。
【００８２】
以上説明した実施形態によれば、随伴蒸気の除去を抑制しつつ、静翼やダイアフラム外輪の表面に付着した凝縮水を的確に除去することが可能となる。
【００８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１０，１１，１２，１３…蒸気タービン、２０…ケーシング、２１…動翼、２２…タービンロータ、２３…ダイアフラム外輪、２４…ダイアフラム内輪、２５…静翼、２５ａ…背側、２５ｂ…腹側、２５ｃ…前縁、２５ｄ…後縁、２６…グランドシール部、２７…蒸気入口管、２８…蒸気通路、３０，５０，５１…中空部、３０ａ…内壁面、３０ｃ…中空部前縁、３０ｄ…中空部後縁、４０…多孔質構成部、４１…母材、５２，５３…連通孔、６０…ドレン排出管、７０…貫通部。
【図１】
2013124561.tif 000003
【図２】
2013124561.tif 000004
【図３】
2013124561.tif 000005
【図４】
2013124561.tif 000006
【図５】
2013124561.tif 000007
【図６】
2013124561.tif 000008
【図７】
2013124561.tif 000009
【図８】
2013124561.tif 000010
【図９】
2013124561.tif 000011
【図１０】
2013124561.tif 000012